(57)【要約】【課題】強度および撥水性が高く、並びに風合いおよび質感に優れた疑似皮革を提供すること。【解決手段】天然繊維を抄造した和紙シート１１の裏面に、編み物、組み物、織物よりなる群より選択された補強材１２を有し、上面および下面の両面から漆塗り加工を施してなることを特徴としている。【選択図】  図３
2004204383.tif 000002
【特許請求の範囲】
【請求項１】
天然繊維を抄造した和紙シートの裏面に、編み物、組み物、織物よりなる群より選択された補強材を有し、上面および下面の両面から漆塗り加工を施してなることを特徴とする疑似皮革。
【請求項２】
天然繊維を抄造した和紙シートの上面および下面に漆塗り加工を施してなることを特徴とする疑似皮革。
【請求項３】
和紙シートには、抄造の際に所望形状の凹型または凸型の模様が付されていることを特徴とする請求項１または２に記載の疑似皮革。
【発明の詳細な説明】
【０００１】
【発明の属する技術分野】
本発明は、天然皮革に代わる疑似皮革に関し、特に、天然繊維を抄造してなる和紙シートを利用した疑似皮革に関する。
【０００２】
【従来の技術、及び発明が解決しようとする課題】
従前より、鞄、衣料、靴、家具等、皮革を利用した製品は広く使用されている。ここで、皮革は、大きく、天然皮革と、人工皮革の２つに区分される。
【０００３】
天然皮革は、適当な強度を有するとともに、風合いや質感に優れており、鞄、靴、衣料等、その使用範囲は広いが、動物を殺傷しなければならず、動物の乱獲にもつながり、動物愛護の観点より非常に重大な問題点があった。また、天然皮革の場合、腐敗防止加工等の煩雑な処理を施す必要があり、また、加工コストが嵩んでしまうという問題点があった。更には、模様が動物の種類により決まってしまい、所望の模様を得ることができないという問題点もあった。
【０００４】
一方、人工皮革は、動物の乱獲を防止でき、煩雑な処理を施さなくても済むものの、人工皮革においては、石油資源を原材料としているため、焼却処分とした際に、焼却炉を傷めたり、有毒なガスを発生するという問題点もあった。更には、天然皮革に対して、風合いおよび質感が劣るという問題点もあった。
【０００５】
本発明はこのような事情に鑑み鋭意開発されたものであって、その目的とするところは、特に、強度および撥水性が高く、並びに風合いおよび質感に優れた疑似皮革を提供することにある。
【０００６】
【課題を解決するための手段】
上記問題点を解決するために請求項１記載の疑似皮革は、天然繊維を抄造した和紙シートの裏面に、編み物、組み物、織物よりなる群より選択された補強材を有し、上面および下面の両面から漆塗り加工を施してなるものである。
請求項２記載の疑似皮革は、天然繊維を抄造した和紙シートの上面および下面に漆塗り加工を施してなるものである。
請求項３記載の疑似皮革は、請求項１または２に記載の疑似皮革において、和紙シートには、抄造の際に所望形状の凹型または凸型の模様が付されているものである。
【０００７】
以下、添付図面を参照して、本発明の好ましい実施例について説明する。
【０００８】
図１は、本発明の一実施例である疑似皮革１の上方斜視図である。図１から図３に示すように、疑似皮革１は、６００×６００ｍｍ程度の四角形状に形成されており、その上面１ａ側は、雁皮、楮、三つ又などの天然繊維を抄造されてなる和紙シート１１により構成され、裏面１ｂ側は、麻、綿、竹、ケナフその他の植物繊維を布帛状とした補強材１２により構成されており、上面１ａおよび下面１ｂには漆層１０３，１０３が配設されている。
【０００９】
図４は、疑似皮革１の表面１ａ、即ち、和紙シート１１側の拡大図である、図４に示すように、和紙シート１１には、抄造の際に凸型の模様１１ａが付されており、風合い及び質感をより一層増大させている。この模様１１ａは、図４に示すように無秩序な模様に限られるものではなく、例えば有名ブランドの商標などであってもよい。
【００１０】
また、和紙シート１１に形成された凸型の模様１１ａが形成されているので、漆塗り加工が施された場合に、模様の周囲に色斑１１ｂが発生する。この色斑１１ｂにより風合い及び質感を一層増大することができる。
【００１１】
次に、図５を参照して、上記のように構成された疑似皮革１の製造方法について説明する。
【００１２】
図５（ａ）に示すように、まず、別工程において夫々製造された和紙シート１１および補強材１２が重ね合わせる。この際、端部を仮止めするようにしても良い。和紙シート１１および補強材１２を重合後、図５（ｂ）に示すように、補強材１２側（疑似皮革１の上面１ａ側）より漆塗り加工を施す。漆塗り加工後、図５（ｃ）に示すように、湿式にて、漆を乾燥させる加工が施される。この漆塗り加工および湿式乾燥加工が複数回繰り返されることにより、補強材１２側に漆層１３が形成され、風合いおよび質感に優れた疑似皮革を製造することができる。更には、接着剤等を使用しなくても、和紙シート１１および補強材を貼着することもできる。
【００１３】
湿式乾燥後、図５（ｄ）に示すように、和紙シート１１側（疑似皮革１の上面１ａ側）からも漆塗り加工が施されるとともに、図５（ｅ）に示すように、疑似皮革１を上下ひっくり返した状態で、湿式乾燥加工が施される。図５（ｄ）および図５（ｅ）が繰り返し行われることにより、和紙シート１１側にも漆層１３が形成されれば、疑似皮革１の製造工程が終了される。
【００１４】
そして、上記のように構成された疑似皮革１は、ハンドバック等の鞄、靴、衣料に二次加工できる他、家具、建造物の壁材、床材の化粧板としても使用することが可能である。
【００１５】
図６は、上記実施例（第１実施例）とは異なる、他の実施例（第２実施例）の疑似皮革２の断面図である。第１実施例の疑似皮革１と異なる部分について説明すれば、第２実施例の疑似皮革２においては、第１実施例の疑似皮革１より補強材１２の構成を省いたものであり、和紙シート１１の上下両面より直接に漆塗り加工および湿式乾燥加工が複数回施されて、和紙シート１１の上下両面には漆層１３，１３が形成されている。
【００１６】
以上、実施例に基づき本発明を説明したが、上記実施例は、本発明の主旨を逸脱しない範囲内で種々の改良変形が可能であり、本発明の技術的範囲には、これらの改良変形も含まれる。
【００１７】
例えば、本実施例においては、上面に凸型の模様１１ａが形成されているが、勿論、凹型の模様１１ａが形成されても良いし、更には、凹凸の模様１１ａが形成されなくても良い。
【００１８】
更に、補強材１２は、麻、綿、竹、ケナフその他の植物繊維が織布状に構成されているが、編み物状でも、組み物状でも良い。
【００１９】
【発明の効果】
以上、各請求項の発明に係る疑似皮革によれば、天然繊維を抄造した和紙シートの裏面に編み物、組み物または織り物より選択された補強材が配設されるとともに、上面および下面の両面から漆塗り加工が施されてなるので、強度および撥水性が高く、並びに風合いおよび質感に優れた疑似皮革を提供することができるという効果を奏する。また、動物の皮革を原材料としなくても製造することができるので、動物愛護に優れるとともに、腐敗防止加工等の煩雑な処理を省いて、製造工程を簡略化することができるという実効性に優れた効果が得られる。
特に、請求項３記載の疑似皮革によれば、和紙シートに対し、抄造の際に所望形状の凸型または凹型の模様が付されているので、例えば所望の商標を表面に付すことができるとともに、漆塗り加工を施すことにより凹凸部分に色斑が生じるため、風合い及び質感をより一層増すことができるという効果が得られる。
【図面の簡単な説明】
【図１】本発明の一実施例である疑似皮革の上面側の斜視図である。
【図２】上記疑似皮革の下面側の斜視図である。
【図３】上記疑似皮革の断面図である。
【図４】上記疑似皮革の和紙シート表面の拡大図である。
【図５】上記和紙シートの製造方法を示す図である。
【図６】第２実施例の疑似皮革の断面図である。
【符号の説明】
１，２  疑似皮革
１ａ    表面
１ｂ    裏面
１１    和紙シート
１１ａ  模様
１２    補強材シート
１３    漆層
【図１】
2004204383.tif 000003
【図２】
2004204383.tif 000004
【図３】
2004204383.tif 000005
【図４】
2004204383.tif 000006
【図５】
2004204383.tif 000007
【図６】
2004204383.tif 000008